(57)【要約】【課題】スイッチボタンの良好な操作感が得られるとともに、表示部が手指により磨耗しないようにできる機器の操作装置を提供することを目的とする。【解決手段】基板ケース３に設けられる操作基板４と、操作基板４上のスイッチ部５を中間伝達手段６を介して操作するための複数のスイッチボタン７と、スイッチボタン７を透明材料により形成し、操作表示部９をスイッチボタン７の表面以外に付設することにより、スイッチボタン７の良好な操作感が得られるとともに、操作表示部９が手指により磨耗しないようにできる機器の操作装置が得られる。【選択図】図１
2007335141.tif 000002
【特許請求の範囲】
【請求項１】
本体の上部に設けたパネル部と、このパネル部に覆われる基板ケースと、この基板ケースに設けられる操作基板と、この操作基板上のスイッチ部を中間伝達手段を介して操作するための複数のスイッチボタンと、このスイッチボタンを前記基板ケースに係止するための係止手段とを備え、前記スイッチボタンを前記パネル部に設けた開口部に配置するとともに、前記スイッチボタンを透明材料により形成し、操作表示部をスイッチボタンの表面以外に付設した機器の操作装置。
【請求項２】
スイッチボタンの平面状の裏面に操作表示部を付設した請求項１記載の機器の操作装置。
【請求項３】
係合手段を、複数のスイッチボタンを一体的に連結する連結部と、基板ケースに設けた支持部とにより構成した請求項１または２記載の機器の操作装置。
【請求項４】
中間伝達手段である保護シートを平板形状に形成し、前記保護シートをスイッチボタンの裏面側に挿入して設けた請求項１〜３のいずれかに記載の機器の操作装置。
【請求項５】
保護シートに係止孔を設け、前記係止孔を基板ケースの支持部に係止可能とした請求項４記載の機器の操作装置。
【請求項６】
基板ケースの表面に傾斜面を形成し、前記傾斜面と略同一方向に傾斜して、スイッチボタンと保護シートを配置した請求項４または５記載の機器の操作装置。
【請求項７】
スイッチボタンの上側面に係止手段としての連結部を設けた請求項３または６記載の機器の操作装置。
【請求項８】
各スイッチボタンの間の隙間を１ｍｍ以下とした請求項１〜３のいずれかに記載の機器の操作装置。
【請求項９】
連結されたスイッチボタンを横長に形成し、前記スイッチボタンの操作表示部として表示文字をスイッチボタンの略中心に横長一行で付設した請求項１〜３のいずれかに記載の機器の操作装置。
【請求項１０】
透明材料で形成したスイッチボタンの少なくとも１つに、異なる色の着色をした請求項１〜３のいずれかに記載の機器の操作装置。
【請求項１１】
スイッチボタンに付設する操作表示部を、記号または絵文字とした請求項１〜３のいずれかに記載の機器の操作装置。
【請求項１２】
スイッチボタンの操作表示部を引き立てる相対色を有した保護シートを備え、前記保護シートの相対色を、前記スイッチボタンを透過して目視可能とした請求項４記載の機器の操作装置。
【発明の詳細な説明】
【技術分野】
【０００１】
本発明は、本体内に組み込まれた機器の操作を、本体の上部に設けたパネル部において行う機器の操作装置に関する。
【背景技術】
【０００２】
従来、この種の機器の操作装置の一例として光触媒応用機器および製造方法が知られている（例えば、特許文献１参照）。
【０００３】
以下、その光触媒応用機器および製造方法について図１５を参照にしながら説明する。
【０００４】
図に示すように、機器外郭１０１の孔１０２に位置して樹脂シート１０３にエンボス加工を行ない、外方に隆起したエンボス部１０４からなるスイッチボタン部１０５を形成していた。
【０００５】
また、機器の操作装置の他の例として機器のスイッチ装置が知られている（例えば、特許文献２参照）。
【０００６】
以下、その機器のスイッチ装置について図１６を参照しながら説明する。
【０００７】
図に示すように、シート部材１０６の裏面適所にはスイッチ１０７の機能を示す印刷表示部１０８が設けられ、印刷表示部１０８に対応してシート部材１０６の外面に樹脂部材で形成したボタン部材１０９が接着剤などで結合され構成されている。
【特許文献１】特開平１１−２４４６９４号公報（［００６９］図７）
【特許文献２】特開２００４−３２７０９２号公報（［００３５］〜［００３７］図８）
【発明の開示】
【発明が解決しようとする課題】
【０００８】
このような従来の光触媒応用機器および製造方法では、樹脂シート１０３を機器外部１０１の孔１０２に設け、エンボス加工により隆起したスイッチボタン部１０５を形成しているので、スイッチ（図示せず）との距離にばらつきを生じて、スイッチボタン部１０５の良好な操作感が得られず、またスイッチボタン部１０５の表示部が手指により磨耗して消滅するという課題があり、スイッチボタン部１０５の良好な操作感が得られるとともに表示部が消えずに使用できることが要求されている。
【０００９】
また、従来の他の機器のスイッチ装置では、スイッチボタンの表示部の磨耗を防止できるが、ボタン部材１０９の接着工程が増えて製造コスト高となる課題があり、スイッチボタンの表示部の磨耗を防止しながら製造コストの低減を図ることが要求されている。
【００１０】
本発明は、このような従来の課題を解決するもので、スイッチボタンの良好な操作感が得られるとともに表示部が手指により磨耗せず、また安価に製造できる機器の操作装置を提供することを目的としている。
【課題を解決するための手段】
【００１１】
本発明の機器の操作装置は上記目的を達成するために、本体の上部に設けたパネル部と、このパネル部に覆われる基板ケースと、この基板ケースに設けられる操作基盤と、この操作基板上のスイッチ部を中間伝達手段を介して操作するための複数のスイッチボタンと、このスイッチボタンを前記基板ケースに係止するための係止手段とを備え、スイッチボタンをパネル部に設けた開口部に配置するとともに、スイッチボタンを透明材料により形成し、操作表示部を、スイッチボタンの表面以外に付設したものである。
【００１２】
この手段により、スイッチボタンの良好な操作感が得られるとともに、操作表示部が手指による磨耗で消滅することがない機器の操作装置が得られる。
【００１３】
また、他の手段は、スイッチボタンの平面状の裏面に操作表示手段を付設したものである。
【００１４】
この手段により、操作表示部をスイッチボタンの裏面に確実に固定して表示できる機器の操作装置が得られる。
【００１５】
また、他の手段は、係止手段を、複数のスイッチボタンを一体的に連結する連結部と、基板ケースに設けた支持部とにより構成したものである。
【００１６】
この手段により、金型投資費用の低減および部品の管理が容易になるとともに、部品構成を簡易化することができる機器の操作装置が得られる。
【００１７】
また、他の手段は、中間伝達手段である保護シートを平板形状に形成し、前記保護シートをスイッチボタンの裏面側に挿入して設けたものである。
【００１８】
この手段により、スイッチ操作性を長期間維持できるとともに、機器への信頼性を得ることができる。
【００１９】
また、他の手段は、保護シートに係止孔を設け、前記係止孔を基板ケースの支持部に係止可能としたものである。
【００２０】
この手段により、組立工数を削減することができるとともに、基板ケースの形状を簡略化できる機器の操作装置が得られる。
【００２１】
また、他の手段は、基板ケースの表面に傾斜面を形成し、前記傾斜面と同一方向に傾斜して、スイッチボタンと保護シートを配置したものである。
【００２２】
この手段により、操作性が向上するとともに、防水性の向上が図れる機器の操作装置が得られる。
【００２３】
また、他の手段は、スイッチボタンの上側面に係止手段としての連結部を設けたものである。
【００２４】
この手段により、組立作業が容易となり製造コストを低減することができる機器の操作装置が得られる。
【００２５】
また、他の手段は、各スイッチボタン間の隙間を１ｍｍ以下としたものである。
【００２６】
この手段により、組立を容易に行うことができ、スイッチボタンの表示範囲を大きくでき、デザイン性の優れた高級なイメージの外観が得られる機器の操作装置が得られる。
【００２７】
また、他の手段は、連結されたスイッチボタンを横長に形成し、前記スイッチボタンの操作表示部として表示文字をスイッチボタンの略中心に横長一行で付設したものである。
【００２８】
この手段により、スイッチボタンの操作性の向上が図れるとともに、視認性の向上が図れる機器の操作装置が得られる。
【００２９】
また、他の手段は、透明材料で形成したスイッチボタンの少なくとも１つに異なる色の着色をしたものである。
【００３０】
この手段により、誤操作を確実に防止して使い勝手を向上させることができる機器の操作装置が得られる。
【００３１】
また、他の手段は、スイッチボタンに付設する操作表示部を、記号または絵文字としたものである。
【００３２】
この手段により、使い勝手が向上する機器の操作装置が得られる。
【００３３】
また、他の手段は、スイッチボタンの操作表示部を引き立てる相対色を有した保護シートを備え、前記保護シートを、前記スイッチボタンを透過して目視可能としたものである。
【００３４】
この手段により、コストダウンを図ることができるとともに、目視で感じることができる機器の操作装置が得られる。
【発明の効果】
【００３５】
本発明によれば、スイッチボタンの良好な操作感が得られるとともに、操作表示部が手指による磨耗で消滅することがないという効果のある機器の操作装置を提供できる。
【００３６】
また、操作表示部をスイッチボタンの裏面に確実に固定して表示できるという効果のある機器の操作装置を提供できる。
【００３７】
また、金型投資費用の低減および部品の管理が容易となるとともに、部品構成を簡易化することができるという効果のある機器の操作装置を提供できる。
【００３８】
また、スイッチ操作性を長期間維持できるとともに、機器への信頼性を得ることができるという効果のある機器の操作装置を提供できる。
【００３９】
また、組立工数を削減することができるとともに、基板ケースの形状を簡略化できるという効果のある機器の操作装置を提供できる。
【００４０】
また、操作性が向上するとともに、防水性の向上が図れるという効果のある機器の操作装置を提供できる。
【００４１】
また、組立作業が容易となり製造コストを低減することができるという効果のある機器の操作装置を提供できる。
【００４２】
また、組立てが容易で、スイッチボタンへの表示が行ない易く、デザイン性の優れた高級なイメージの外側が得られるという効果のある機器の操作装置を提供できる。
【００４３】
また、スイッチボタンの操作性と視認性の向上が図れるという効果のある機器の操作装置を提供できる。
【００４４】
また、誤操作を確実に防止して使い勝手を向上させることができるという効果のある機器の操作装置を提供できる。
【００４５】
また、コストダウンを図ることができるとともに、保護シートの微少な動きを目視で感じることができるという効果のある機器の操作装置を提供できる。
【発明を実施するための最良の形態】
【００４６】
本発明の請求項１記載の発明は、本体の上部に設けたパネル部と、このパネル部に覆われる基板ケースと、この基板ケースに設けられる操作基板と、この操作基板上のスイッチ部を中間伝達手段を介して操作するための複数のスイッチボタンと、このスイッチボタンを前記基板ケースに係止するための係止手段とを備え、前記スイッチボタンを前記パネル部に設けた開口部に配置するとともに、前記スイッチボタンを透明材料により形成し、操作表示部をスイッチボタンの表面以外に付設したものであり、スイッチボタンとスイッチ部の間に弾力性のある中間伝達手段を設けているので、スイッチボタンの良好な操作感が得られるとともに、操作表示部を透明材料のスイッチボタンの表面以外に設けて操作表示部が透明可能としているので、操作表示部が手指による磨耗で消滅することがないという作用を有する。
【００４７】
また、請求項２記載の発明は、スイッチボタンの平面状の裏面に操作表示部を付設したものであり、スイッチボタンの裏面を平面状に形成し、この面に操作表示部を印刷することにより、操作表示部をスイッチボタンの裏面に確実に固定して表示できるという作用を有する。
【００４８】
また、請求項３記載の発明は、係止手段を、複数のスイッチボタンを一体的に連結する連結部と、基板ケースに設けた支持部とにより構成したものであり、複数のスイッチボタンを連続した一つの部品として製造および管理ができ、金型投資費用の低減および部品の管理が容易となるとともに、連結部を係止手段に兼用することで係止用の部品は不要となり、部品構成を簡易化することができる。また、複数のスイッチボタンの取り付け作業を一度に行うことができるという作用を有する。
【００４９】
また、請求項４記載の発明は、中間伝達手段である保護シートを平板形状に形成し、前記保護シートをスイッチボタンの裏面側に挿入して設けたものであり、中間伝達手段である保護シートはスイッチボタンの裏面に当接して、操作表示部の磨耗を防いで保護することになり、操作表示部の劣化を防いで視認性を保ち、スイッチ操作性を長期間維持できるとともに操作表示部が劣化しないので外観の耐久性が向上し、この操作装置を搭載した機器への信頼性を得ることができ、また、従来の保護シートは、スイッチボタンや基板ケースに合せて凹凸形状に形成されることが多く、保護シートの成型金型が必要であったが、保護シートを簡単な平板形状にすることで表面を防水加工することで水滴が付着しても滴下しやすく、また、スイッチボタンの操作表示部を柔らかく保護して磨耗劣化を防ぐことができるという作用を有する。
【００５０】
また、請求項５記載の発明は、保護シートに係止孔を設け、前記係止孔を基板ケースの支持部に係止可能としたものであり、スイッチボタンと保護シートの双方をともに基板ケースの支持部に係止するので組立作業も容易となり、組立工数を削減することができるとともに、基板ケースに保護シートを固定するための余分な構成が不要となり、基板ケースの形状が簡略化できるという作用を有する。
【００５１】
また、請求項６記載の発明は、基板ケースの表面に傾斜面を形成し前記傾斜面と略同一方向に傾斜してスイッチボタンと保護シートを配置したものであり、スイッチボタンに設けた文字などの操作表示部が操作者の視覚に入るように表示されるので、操作表示部の確認が容易となり操作性が向上するとともに、スイッチボタンから保護シート上に水滴が侵入した場合でも、保護シートの表面を伝わって重力により水が基板ケース外へ流れ落ち易くなり、防水性の向上が図れるという作用を有する。
【００５２】
また、請求項７記載の発明は、スイッチボタンの上側面に係止手段としての連結部を設けたものであり、スイッチボタンを基板ケースの支持部に引っ掛けるだけで、スイッチボタンが所定位置に取り付けできるので、組立作業が容易となり、また、係止手段として連結部を兼用することで部品構成が簡略化され、製造コストを低減することができるという作用を有する。
【００５３】
また、請求項８記載の発明は、各スイッチボタン間の隙間を１ｍｍ以下としたものであり、各スイッチボタン間の隙間を小さくすることで、一連のスイッチボタンとした場合は、基板ケースにセットするだけで、個々のスイッチボタンの位置決めが自動的になされ、従来に比べて位置決め作業を省略することができ、組立を容易に行うことができるという作用を有する。
【００５４】
また、スイッチボタンの表示範囲を極めて大きく取ることができ、文字の大きさや文字配置の制約を少なくして表示を行いやすくできるという作用を有する。
【００５５】
また、透明なスイッチボタンが、本体の前面上部の目立つ位置に整然と一列に配置されることになり、デザイン性の優れた高級なイメージの外観が得られるという作用を有する。
【００５６】
また、請求項９記載の発明は、連結されたスイッチボタンを横長に形成し、前記スイッチボタンの操作表示部として表字文字をスイッチボタンの略中心に横長一行で付設したものであり、スイッチボタンの表示範囲を横方向に大きく取ることができるので、表示文字の横幅や文字数を増大することができ、表示文字をスイッチボタンの略中心に一行で付設することにより目視確認が短時間で行え、スイッチボタンの操作性の向上が図れるという作用を有する。
【００５７】
また、表示文字をスイッチボタンに２行で付設する場合に比べて、光の屈折による表示文字の上下端が歪んだり２重表示となるのを防止することができ、視認性の向上が図れるという作用を有する。
【００５８】
また、請求項１０記載の発明は、透明材料で形成したスイッチボタンの少なくとも１つに異なる色の着色をしたものであり、特別な機能を操作するためのスイッチボタンに、文字表示の視認性を損なわない程度の薄い着色を施すことにより、文字表示の違いが加わり特別な機能を素早くまたは確実に操作するときに、直感的に認識が可能となり、誤操作を未然に防止して使い勝手を向上させることができるという作用を有する。
【００５９】
また、請求項１１記載の発明は、スイッチボタンに付設する操作表示部を、記号または絵文字としたものであり、操作表示部を文字だけでなく、記号または絵文字を単独または併記して使用することにより、多様な機能を容易かつ瞬時に認識することができ、操作性を改善して使い勝手の向上を図ることができるという作用を有する。
【００６０】
また、同一の記号や絵文字などを継続して後継機種に表示することで、新機種であっても使用者には同一機能のスイッチボタンであることを認知しやすくなり、使い勝手が向上するという作用を有する。
【００６１】
また、請求項１２記載の発明は、スイッチボタンの操作表示部を引き立てる相対色を有した保護シートを備え、前記保護シートの相対色を、前記スイッチボタンを透過して目視可能としたものであり、操作表示部が黒色系の場合は、保護シートの表面を白色系として、黒色系の表示を引き立てるようにすることで、スイッチボタンの操作表示部の視認性を損なうことなく、スイッチボタン裏面の塗装を省いて塗装工数と塗料を削減することができ、コストダウンを図ることができるという作用を有する。
【００６２】
また、操作時にスイッチボタンの塗装では表現できない保護シートの微少な動きを目視で感じることができるという作用を有する。
【００６３】
以下、本発明の実施の形態について図面を参照しながら説明する。
【００６４】
（実施の形態１）
図１〜図５に示すように、機器を内部に組み込んだ本体１の上部に設けられるパネル部２と、パネル部２に覆われ基板ケース３と、基板ケース３に設けられる操作基板４と、操作基板４上のスイッチ部５を中間伝達手段６を介して操作するための複数のスイッチボタン７と、スイッチボタン７を基板ケース３に係止するための係止手段８とを備え、スイッチボタン７をパネル部２に設けた開口部２ａに配置するとともに、スイッチボタン７を透明材料により形成し、操作表示部９をスイッチボタン７の平面状の裏面に表文字などを印刷して形成し、操作表示部９をスイッチボタン７の表面以外に付設する。
【００６５】
また、中間伝達手段６として基板ケース３に一体的に設けた弾力性を有する中間伝達部１０と中間伝達部１０とスイッチボタン７の間には保護シート１１が存在するように設け、また、操作表示部９の視認性の向上するため、スイッチボタン７の裏面に黒色の操作表示部９を印刷したあとに、白色の塗料を施して操作表示部９が中間伝達手段６となる保護シート１１に直接触れないように構成する。
【００６６】
上記構成において、スイッチボタン７とスイッチ部５の間に弾力性のある中間伝達手段６を設けているので、スイッチボタン７の良好な操作感が得られるとともに、操作表示部を透明材料のスイッチボタン７の表面以外に設けて操作表示部９が透視可能としているので、操作表示部９が手指により磨耗で消滅することがないこととなる。
【００６７】
また、スイッチボタン７の裏面を平面状に形成し、この面に操作表示部９を印刷して付設しているので、操作表示部９をスイッチボタン７の裏面に確実に固定して表示できることとなる。
【００６８】
なお、実施の形態１では、操作表示部９をスイッチボタン７の平面状の裏面に設けたが、図６に示すようにスイッチボタン７Ａの厚み方向の中間に操作表示部９Ａを設けても良く、その作用効果に差異を生じない。
【００６９】
（実施の形態２）
図７〜図９に示すように、係止手段８Ａを、複数のスイッチボタン７Ａを一体的に連結する連結部１２と、基板ケース３Ａに設けた支持部１３により形成し、中間伝達手段６Ａとなる保護シート１１Ａをスイッチボタン７Ａの裏面側に挿入して設け、保護シート１１Ａに係止孔１４を設け、係止孔１４を基板ケース３Ａの支持部１３に係止可能に設け、基板ケース３Ａの表面に傾斜面１５を形成し、傾斜面１５と略同一方向に傾斜して、スイッチボタン７Ａと保護シート１１Ａを配置し、スイッチボタン７Ａの上側面に係止手段８Ａとしての連結部１２を設け構成する。
【００７０】
上記構成においては、係止手段８Ａを、複数のスイッチボタン７Ａを一体的に連結する連結部１２と、基板ケース３Ａに設けた支持部１３により構成していることにより、複数のスイッチボタン７Ａを連続した１つの部品として製造および管理ができ、金型費用の低減および部品の管理が容易となるとともに、連結部１２を係止手段８Ａに兼用することで係止用の部品を別個に設ける必要がなくなり、部品構成を簡易化することができる。また、複数のスイッチボタン７Ａの取り付け作業を一度に行うことができ作業性も向上することとなる。
【００７１】
また、中間伝達手段６Ａとなる保護シート１１Ａをスイッチボタン７Ａの裏面側に挿入して構成していることにより、中間伝達手段６Ａとなる保護シート１１Ａは、スイッチボタン７Ａの裏面に当接して、操作表示部９Ａの劣化を防いで視認性を保ち、スイッチ操作性を長期間維持できるとともに、操作表示部９Ａが劣化しないので、外観の耐久性が向上し、この操作装置を搭載した機器への信頼性を得ることができることとなる。また、従来の保護シートは、スイッチボタンや基板ケースに合せて凹凸形状に形成されることが多く、保護シートの成型金型が必要であったが、保護シート１１Ａを簡単な平板形状にすることで、成型金型が不要となり、安価に製造できるとともに、凹凸がないので、表面を防水加工することで水滴が付着しても滴下しやすく、また、スイッチボタン７Ａの操作表示部９Ａを柔らかく保護して磨耗劣化を防ぐことができることとなる。
【００７２】
また、保護シート１１Ａに係止孔１４を設け、係止孔１４を基板ケース３Ａの支持部１３に係止可能に構成していることにより、スイッチボタン７Ａと保護シート１１Ａの双方をともに基板ケース３Ａの支持部１３に係止するので、組立作業も容易となり、組立工数を削減することができるとともに、基板ケース３Ａに保護シート１１Ａを固定するための余分な構成が不要となり、基板ケース３Ａの形状が簡略化できることとなる。
【００７３】
また、基板ケース３Ａの表面に傾斜面１５を形成し、傾斜面１５と略同一方向に傾斜して、スイッチボタン７Ａと保護シート１１Ａを配置し構成していることにより、スイッチボタン７Ａに設けた文字などの操作表示部９Ａが操作者の視覚に入るように表示されているので、操作表示部９Ａの確認が容易となり、操作性が向上するとともに、スイッチボタン７Ａから保護シート１１Ａ上に水滴が侵入した場合でも、保護シート１１Ａの表面を伝わって重力により水が基板ケース３Ａへ流れ落ちやすくなり、防水性の向上が図れることとなる。
【００７４】
また、スイッチボタン７Ａの上側面に係止手段８Ａとしての連結部１２を設け構成していることにより、スイッチボタン７Ａを基板ケース３Ａの支持部１３に引っ掛けるだけで、スイッチボタン７Ａが所定位置に取り付けできるので、組立作業が容易となり、また、係止手段８Ａとして連結部１２を兼用することで部品構成が簡略化され、製造コストを低減することができることとなる。
【００７５】
（実施の形態３）
図１０および図１１に示すように、各スイッチボタン７Ｂ間の隙間（Ａ）を１ｍｍ以下とし、連結されたスイッチボタン７Ｂを横長に形成し、スイッチボタン７Ｂの操作表示部９Ｂとして表示文字１６をスイッチボタン７Ｂの略中心に横長一行で付設し構成する。
【００７６】
上記構成においては、各スイッチボタン７Ｂ間の隙間（Ａ）を１ｍｍ以下と構成していることにより、基板ケース３Ｂにセットするだけで、個々のスイッチボタン７Ｂの位置決めが自動的になされ、従来に比べて位置決め作業を省略することができ、組立を容易に行うことができるとともに、スイッチボタン７Ｂの表示範囲を最大限大きくとることができ、文字の大きさや文字の配置の制約を少なくして表示を行いやすくできる。また、透明なスイッチボタン７Ｂが、本体１Ａの前面上部の目立つ位置に整然と一列に配置されることになり、デザイン性の優れた高級なイメージの外観が得られることとなる。
【００７７】
また、連結されたスイッチボタン７Ｂを横長に形成し、スイッチボタン７Ｂの操作表示部９Ｂとして表示文字１６をスイッチボタン７Ｂの略中心に横長一行で構成していることにより、スイッチボタン７Ｂの表示範囲を横方向に大きく取ることができるので、表示文字１６の横幅や文字数を増大することができ、表示文字１６をスイッチボタン７Ｂの略中心に一行で付設することにより、目視確認が短時間で行うことができ、スイッチボタン７Ｂの操作性の向上が図れる。また、表示文字１６をスイッチボタン７Ｂに２行で付設する場合に比べて、光の屈折による表示文字１６の上下端の歪みや２重表示となるのを防止することができ、視認性の向上が図れることとなる。
【００７８】
（実施の形態４）
図１２に示すように、透明材料で形成したスイッチボタン７Ｃの少なくとも１つに、異なる色の着色をしたもので、本実施の形態としては運転の最初と最後に操作する「運転  切／入」のスイッチボタン７Ｃの裏面を茶色（ライトブラウン）で着色し構成する。    
【００７９】
上記構成においては、特別の機能を操作するためのスイッチボタン７Ｃの裏面に、表示文字１６Ａの視認性を損なわない程度の薄い着色を施すことにより、表示文字１６Ａの違いだけでなく色表示の違いが加わり、特別な機能を素早くまたは確実に操作するときに、直感的に認識可能であり、誤操作を確実に防止して使い勝手を向上させることができることとなる。
【００８０】
（実施の形態５）
図１３に示すように、スイッチボタン７Ｄに付設する操作表示部９Ｃを、記号または絵文字とした構成とする。
【００８１】
上記構成においては、操作表示部９Ｃを文字だけでなく、記号または絵文字を単独または併記して使用することにより、多様な機能を容易で、かつ瞬時に認識することができ、操作性を改善して使い勝手の向上を図ることができる。また、同一の記号や絵文字などを継続して後継機種に表示することで、新機種であっても使用者には同一機能のスイッチボタンであることを認知しやすくなり、使い勝手が向上することとなる。
【００８２】
（実施の形態６）
図１４に示すように、スイッチボタン７Ｅの操作表示部９Ｄを引き立てる相対色を有した保護シート１１Ｂの相対色を、スイッチボタン７Ｅを透過して目視可能とした構成とする。
【００８３】
上記構成においては、操作表示部９Ｄが黒色系の場合は、保護シート１１Ｂの表面を白色系として、黒色系の表示を引き立てるようにすることで、スイッチボタン７Ｅの操作表示部９Ｄの視認性を損なうことなく、スイッチボタン７Ｅの裏面の塗装を省いて塗装工数と塗料を削減することができ、コストダウンを図ることができる。また、操作時にスイッチボタン７Ｅの塗装では表現できない保護シート１１Ｂの微妙な動きを目視で感じることにより、操作感を向上できることとなる。
【産業上の利用可能性】
【００８４】
本発明にかかる機器の操作装置は、スイッチボタンの良好な操作感が得られるとともに、操作表示部が手指による磨耗で消滅することがなく、安価に製造できるという効果を奏し、家庭用電気機器などの本体の上部にスイッチボタンが設けられる機器の操作装置として有用である。
【図面の簡単な説明】
【００８５】
【図１】本発明の実施の形態１の機器の操作装置の分解斜視図
【図２】同機器の操作装置の上面図
【図３】同機器の操作装置の断面図
【図４】同機器の操作装置を付設した本体の斜視図
【図５】同機器の操作装置の操作表示部を示すスイッチボタンの裏面図
【図６】同機器の操作装置の他の操作表示部を示すスイッチボタンの断面図
【図７】本発明の実施の形態２の機器の操作装置の分解斜視図
【図８】同機器の操作装置の斜視図
【図９】同機器の操作装置の断面図
【図１０】本発明の実施の形態３の機器の操作装置のスイッチボタンを示す上面図
【図１１】同機器の操作装置を付設した本体の斜視図
【図１２】本発明の実施の形態４の機器の操作装置の上面図
【図１３】本発明の実施の形態５の機器の操作装置の操作表示部を示す上面図
【図１４】本発明の実施の形態６の機器の操作装置の分解斜視図
【図１５】従来の光触媒応用機器および製造方法のエンボス加工した断面図
【図１６】従来の他の機器のスイッチ装置の平面図および断面図
【符号の説明】
【００８６】
１      本体
２      パネル部
２ａ    開口部
３      基板ケース
３Ａ    基板ケース
４      操作基板
５      スイッチ部
６      中間伝達手段
６Ａ    中間伝達手段
７      スイッチボタン
７Ａ    スイッチボタン
７Ｂ    スイッチボタン
７Ｃ    スイッチボタン
７Ｄ    スイッチボタン
７Ｅ    スイッチボタン
８      係止手段
８Ａ    係止手段
９      操作表示部
９Ａ    操作表示部
９Ｂ    操作表示部
１１Ａ  保護シート
１１Ｂ  保護シート
１２    連結部
１３    支持部
１４    係止孔
１５    傾斜面
１６    表示文字
【図１】
2007335141.tif 000003
【図２】
2007335141.tif 000004
【図３】
2007335141.tif 000005
【図４】
2007335141.tif 000006
【図５】
2007335141.tif 000007
【図６】
2007335141.tif 000008
【図７】
2007335141.tif 000009
【図８】
2007335141.tif 000010
【図９】
2007335141.tif 000011
【図１０】
2007335141.tif 000012
【図１１】
2007335141.tif 000013
【図１２】
2007335141.tif 000014
【図１３】
2007335141.tif 000015
【図１４】
2007335141.tif 000016
【図１５】
2007335141.tif 000017
【図１６】
2007335141.tif 000018